(57)【要約】携帯型電子装置からの情報を、該携帯型電子装置から離れたビデオスクリーンに表示することができる。また、携帯型電子装置内に情報が提供され、携帯型電子装置と受信器との間で無線結合を介して通信が行われる。無線結合を介して通信された情報に対応するビデオ信号が生成され、該ビデオ信号は表示のためにビデオスクリーンに提供される。また、情報は、Bluetoothプロトコルに従った無線結合を介して通信することができる。関連する方法、システム及び装置が述べられている。
2006523411.tif 000002
【特許請求の範囲】
【請求項１】
携帯型電子装置からの情報を、該携帯型電子装置から離れたビデオスクリーンに表示する方法であって、
前記携帯型電子装置から無線結合を介して情報を受信する受信工程と、
前記携帯型電子装置からの前記情報の受信に応じて、前記携帯型電子装置からの前記情報に対応するビデオ信号を生成する生成工程と、
前記情報を前記ビデオスクリーンに表示するために、生成された前記ビデオ信号を前記ビデオスクリーンに提供する提供工程と
を備えることを特徴とする方法。
【請求項２】
前記携帯型電子装置からの情報は、前記携帯型電子装置により受信された電子メール、前記携帯型電子装置上で実行されているゲームのゲーム画面、前記携帯型電子装置により受信されたインターネットページ、写真、及びビデオクリップから構成されるグループの中から選択される少なくとも一つを備えることを特徴とする請求項１に記載の方法。
【請求項３】
前記生成工程は、Bluetooth無線プロトコルに従って前記情報を受信する工程を備えることを特徴とする請求項１に記載の方法。
【請求項４】
前記ビデオ信号は更に、水平ライン同期パルス、カラー基準バースト、基準黒レベル、ピクチャ明度情報、彩度情報、色相情報、及び、垂直同期パルスから構成されるグループの中から選択された少なくとも一つを更に備えることを特徴とする請求項１に記載の方法。
【請求項５】
前記携帯型電子装置は、無線電話機を含むことを特徴とする請求項１に記載の方法。
【請求項６】
前記携帯型電子装置は、ＰＤＡを含むことを特徴とする請求項１に記載の方法。
【請求項７】
前記受信工程における前記携帯型電子装置からの前記情報の受信より先に、前記情報が前記携帯型電子装置から受信されるかどうかの決定が行われ、
前記携帯型電子装置からの前記情報の受信、前記ビデオ信号の生成、及び、前記ビデオ信号の前記スクリーンへの提供は、前記携帯型電子装置から情報が送信されているとの決定に応じて実行され、
前記方法は、前記携帯型電子装置から情報が送信されていないとの決定に応じて、前記ビデオスクリーンに別のビデオ信号を提供する工程を更に備えることを特徴とする請求項１に記載の方法。
【請求項８】
前記ビデオスクリーンはテレビを備えることを特徴とする請求項１に記載の方法。
【請求項９】
前記携帯型電子装置は、前記携帯型電子装置の筐体に搭載されたローカルディスプレイを含み、該ローカルディスプレイは前記ビデオスクリーンに比べて小型であることを特徴とする請求項１に記載の方法。
【請求項１０】
前記ビデオスクリーンに情報を表示すると共に、前記携帯型電子装置の前記ローカルディスプレイの情報を表示する工程を更に備えることを特徴とする請求項１に記載の方法。
【請求項１１】
ビデオ信号生成器であって、
携帯型電子装置から無線結合を介して情報を受信するように構成された受信器と、
前記携帯型電子装置からの前記情報の受信に応じて、前記携帯型電子装置からの前記情報に対応するビデオ信号を生成するように構成されたプロセッサと、
ビデオスクリーンにおける表示のため、該ビデオスクリーンに前記ビデオ信号を提供するように構成されたビデオ出力部と
を備えることを特徴とするビデオ信号生成器。
【請求項１２】
前記受信器は、Bluetooth無線プロトコルに従って前記情報を受信するように構成されていることを特徴とする請求項１１に記載のビデオ信号生成器。
【請求項１３】
前記ビデオ信号は更に、水平ライン同期パルス、カラー基準バースト、基準黒レベル、ピクチャ明度情報、彩度情報、色相情報、及び、垂直同期パルスから構成されるグループの中から選択された少なくとも一つを更に備えることを特徴とする請求項１１に記載のビデオ信号生成器。
【請求項１４】
前記携帯型電子装置は、無線電話機及びＰＤＡの少なくとも一つを含むことを特徴とする請求項１１に記載のビデオ信号生成器。
【請求項１５】
前記ビデオ出力部は、前記携帯型電子装置から情報が受信されない場合には、前記ビデオスクリーンに別のビデオ信号を提供するように構成されていることを特徴とする請求項１１に記載のビデオ信号生成器。
【請求項１６】
携帯型電子装置からの情報を、該携帯型電子装置から離れたビデオスクリーンに表示する方法であって、
前記携帯型電子装置内で、前記携帯型電子装置のローカルディスプレイでの表示に適合された情報を生成する生成工程と、
生成された前記情報を、前記ビデオスクリーンでの表示のために、前記携帯型電子装置から無線結合を介して受信器へ送信する送信工程と
を備えることを特徴とする方法。
【請求項１７】
前記携帯型電子装置からの前記無線結合を介した前記情報の送信と共に、前記携帯型電子装置の前記ローカルディスプレイに前記情報を表示する表示工程を更に備えることを特徴とする請求項１６に記載の方法。
【請求項１８】
前記情報の送信の前に、前記受信器が前記携帯型電子装置の送信圏内に属するかの決定が前記携帯型電子装置において行われ、前記情報の送信は、前記受信器が該送信圏内に属するとの決定に応じて実行され、
前記携帯型電子装置の前記送信圏内に属する受信器は存在しないとの決定に応じて、前記携帯型電子装置の前記ローカルディスプレイに前記情報を表示することを特徴とする請求項１６に記載の方法。
【請求項１９】
前記携帯型電子装置からの情報は、前記携帯型電子装置により受信された電子メール、前記携帯型電子装置上で実行されているゲームのゲーム画面、前記携帯型電子装置により受信されたインターネットページ、写真、及びビデオクリップから構成されるグループの中から選択される少なくとも一つを備えることを特徴とする請求項１６に記載の方法。
【請求項２０】
前記送信工程は、Bluetooth無線プロトコルに従って前記情報を受信する工程を備えることを特徴とする請求項１６に記載の方法。
【請求項２１】
前記携帯型電子装置は、無線電話機及びＰＤＡで構成されるグループの中から選択された少なくとも一つを含むことを特徴とする請求項１６に記載の方法。
【請求項２２】
前記ビデオスクリーンはテレビを備えることを特徴とする請求項１６に記載の方法。
【請求項２３】
前記携帯型電子装置の前記ローカルディスプレイは、前記ビデオスクリーンに比べて小型であることを特徴とする請求項１６に記載の方法。
【請求項２４】
携帯型電子装置であって、
筐体に搭載されたローカルディスプレイと、
前記ローカルディスプレイと結合され、前記携帯型電子装置内で、前記携帯型電子装置のローカルディスプレイでの表示に適合された情報を生成するように構成されたプロセッサと、
前記プロセッサと結合され、生成された前記情報を、前記携帯型電子装置から離れたビデオスクリーンでの表示のために、前記携帯型電子装置から無線結合を介して受信器へ送信する送受信器と
を備えることを特徴とする携帯型電子装置。
【請求項２５】
前記携帯型電子装置からの前記無線結合を介した前記情報の送信と共に、前記携帯型電子装置の前記ローカルディスプレイに前記情報が表示されることを特徴とする請求項２４に記載の携帯型電子装置。
【請求項２６】
前記プロセッサは、前記携帯型電子装置の送信圏内に属する受信器が存在しない場合に、前記携帯型電子装置の前記ローカルディスプレイに前記情報を表示することを特徴とする請求項２４に記載の携帯型電子装置。
【請求項２７】
前記送受信器は、Bluetooth無線プロトコルに従って前記携帯型電子装置から前記情報を送信することを特徴とする請求項２４に記載の携帯型電子装置。
【請求項２８】
前記携帯型電子装置は、無線電話機及びＰＤＡで構成されるグループの中から選択された少なくとも一つを含むことを特徴とする請求項２４に記載の携帯型電子装置。
【請求項２９】
前記携帯型電子装置の前記ローカルディスプレイは、前記ビデオスクリーンに比べて小型であることを特徴とする請求項２４に記載の携帯型電子装置。
【請求項３０】
ディスプレイを含む携帯型電子装置からの情報を、前記携帯型電子装置から離れたビデオスクリーンに表示する方法であって、
前記携帯型電子装置内に情報を提供する工程と、
前記携帯型電子装置から受信器に、無線結合を介して前記情報を通信する工程と、
前記無線結合を介して通信された前記情報に応じてビデオ信号を生成する工程と、
前記ビデオスクリーンに前記ビデオ信号を提供する工程と、
前記ビデオスクリーンに前記情報を表示する工程と
を備えることを特徴とする方法。
【請求項３１】
前記情報は、Bluetooth無線プロトコルに従った前記無線結合を介して、前記携帯型電子装置から前記受信器に通信されることを特徴とする請求項３０に記載の方法。
【請求項３２】
前記携帯型電子装置は、無線電話機及びＰＤＡの少なくとも一つを含むことを特徴とする請求項３０に記載の方法。
【請求項３３】
電子装置からの情報を、前記電子装置から離れたビデオスクリーンに表示する方法であって、
前記電子装置から、Bluetoothプロトコルに従った無線結合を介して情報を受信する受信工程と、
前記電子装置からの前記情報の受信に応じて、前記電子装置からの前記情報をビデオ信号に変換する変換工程と、
前記情報を前記ビデオスクリーンに表示するために、前記ビデオ信号を前記ビデオスクリーンに提供する提供工程と
を備えることを特徴とする方法。
【請求項３４】
前記ビデオ信号は更に、水平ライン同期パルス、カラー基準バースト、基準黒レベル、ピクチャ明度情報、彩度情報、色相情報、及び、垂直同期パルスから構成されるグループの中から選択された少なくとも一つを更に備えることを特徴とする請求項３３に記載の方法。
【請求項３５】
前記ビデオスクリーンはテレビを備えることを特徴とする請求項３３に記載の方法。
【発明の詳細な説明】
【技術分野】
【０００１】
本願は、２００３年３月１０日に出願された米国仮出願第６０／４５３，４４３号に基づく優先権主張を伴う出願であり、係る出願の記載は参照により本願に組み込まれる。
【０００２】
本発明は、電子技術の分野に関するもので、より詳細には、情報を表示するための方法、装置及びシステムに関する。
【背景技術】
【０００３】
無線電話機やＰＤＡ(携帯情報端末)のような携帯型電子装置の多くはサイズの小型化が進む一方で、より大きな量の情報を表示することが強く望まれている。従って、より大型のディスプレイに対する要求は、より小型の携帯型電子装置に対する要求と相容れないものとなるかもしれない。例えば、携帯電話通信システムにおけるテキストメッセージングの利用の増加により、情報の利用や参照の容易さを求めて、携帯端末のディスプレイの大型化に対する要求が増加するであろう。
【発明の開示】
【課題を解決するための手段】
【０００４】
本発明の実施形態によれば、携帯型電子装置からの情報は、該携帯型電子装置から離れたビデオスクリーンに表示される。より具体的には、情報は、携帯型電子装置から無線結合(wireless coupling、以下同様。)を介して受信される。携帯型電子装置からの情報の受信に応じて、該携帯型電子装置からの情報に対応するビデオ信号が生成される。ビデオ信号は、ビデオスクリーンに提供され、ビデオスクリーン上に情報を表示することができる。
【０００５】
本発明の更なる実施形態によれば、情報が携帯型電子装置内に提供され、提供された情報は、携帯型電子装置のローカルディスプレイ上に表示するために適合される。そして、情報を、携帯型電子装置から無線結合を介して受信機に送信して、携帯型電子装置から離れたビデオスクリーン上に表示することができる。
【発明を実施するための最良の形態】
【０００６】
本発明は、本発明の好適な実施形態を示す添付する図面を参照して以下により詳細に記述される。但し、これらの実施形態は、開示により当業者に対し本発明の範囲を詳細かつ完全に、全体として伝達するために提供されるものではなく、むしろ、本発明は、様々な異なる形態において実施することが可能であり、ここに示される実施形態に限定されるものとして解釈されるべきではない。また、同等の要素については明細書を通じて同等の番号を使用する。
【０００７】
当業者により理解されるであろうように、本発明は方法又は装置として実施することができる。従って、本発明は、ハードウェア、ソフトウェア、或いはソフトウェアとハードウェアの結合の形態において実施することができる。ある要素が他の要素と”接続された”或いは”結合された”のように表現される場合、該要素は他の要素と直接に接続、或いは組み合わされても良いし、或いは、介在要素が存在していても良いことが、理解されよう。対照的に、ある要素が他の要素と”直接に接続された”或いは”直接に結合された”のように表現される場合には、介在要素は存在しないことも理解されよう。
【０００８】
携帯型電子装置（無線電話機或いはＰＤＡ）のディスプレイは、視覚的情報を携帯型電子装置のユーザに提供するために利用することができる。例えば無線電話機の場合、無線電話機本体上のディスプレイは、ダイヤルされた電話番号、発呼者の電話番号（発呼者の識別情報）、無線電話機内に格納されている電子アドレス帳の情報、カレンダー情報、電子メール、テキストメッセージング、電子ゲームの画面、写真、ビデオクリップ、インターネットページなどを表示することができる。しかしながら、携帯型電子装置のディスプレイのサイズは、該携帯型電子装置の大きさにより制限されてしまう。従って、携帯型電子装置に通常与えられる比較的小型のディスプレイ上では、いくつかの情報を見ることが困難となるかも知れない。
【０００９】
本発明の実施形態によれば、携帯型電子装置のディスプレイに典型的に表示される情報を、携帯型電子装置から離れたビデオスクリーンに表示されるようにするために、ビデオ信号を生成するビデオ信号生成器に、無線結合を介して送信する。例えば、ビデオ信号生成器は、携帯型電子装置からの情報をテレビ画面に表示するために、ビデオ信号をテレビに提供することができる。また、ビデオ信号生成器は、ビデオ信号を、コンピュータモニタ、フラットパネルディスプレイ、冷陰極管、液晶ディスプレイなどの他のビデオスクリーンに提供することができる。更に、携帯型電子装置とビデオ信号生成器との間の無線結合は、例えば、Bluetooth（登録商標）プロトコルを利用して提供することができる。Bluetoothプロトコルについては、例えば、Dedicated System Magazine  2000 Q4の２８ページから３３ページにおける"Blue Tooth Protocol Architecture"とのタイトルを有する文献おいて、Sailesh Rathiにより説明されている。係る開示内容はここで参照により本願に組み込まれる。
【００１０】
ビデオ信号生成器は、例えば、テレビや他のビデオスクリーンと結合されるセットトップボックスの一部として実装することができる。セットトップボックスとテレビとの間の結合は、例えば、同軸ケーブルにより行うことができる。従って、本発明の実施形態に対応する方法、システム及び装置は、従来のテレビやコンピュータ用モニターと共に利用することができる。また、本発明の実施形態に対応するビデオ信号生成器は、テレビ或いはコンピュータシステム内に組み込むことができ、その場合には独立したセットトップボックスは不要となる。例えば、パーソナルコンピュータは、携帯型電子装置から無線受信するためのBluetooth送受信器と、パーソナルコンピュータのモニターに表示するために情報を変換するソフトウェアとを有することができる。
【００１１】
従って、携帯型電子装置のユーザは、従来的な動作モードでは携帯型電子装置の比較的小型のディスプレイを利用することができ、及び／又は、通常は携帯型電子装置の小型ディスプレイ上に提供されていた情報を見るために、より大型のビデオスクリーンを利用することができる。例えば、携帯型電子装置の小型のディスプレイに表示されるのに付け加えて、或いは、該表示に替えて、テレビに情報を表示するために携帯型電子装置からの情報を無線により近傍のテレビに送信することができる。米国でのテレビの普及率によれば、携帯型電子装置のユーザは、携帯型電子装置を利用している時間の大半において、携帯型電子装置からの情報を、より簡便に家庭のテレビで見ることができるであろう。
【００１２】
図１に示すように、本発明の実施形態に対応するシステム、方法及び装置は、携帯型電子装置１１、携帯型電子装置１１から離れたビデオ信号生成器１４、及び、ビデオ信号生成器１５と通信可能に組み合わされるビデオスクリーン１７とを含むことができる。携帯型電子装置１１が、ビデオ信号生成器１５の通信圏内に属する場合には、無線結合１９を、携帯型電子装置１１とビデオ信号生成器１５との間の通信のために利用することができる。無線結合１９は、例えば、Bluetoothプロトコルに従って提供することができる。但し、他の無線結合を利用することも可能である。
【００１３】
本発明の実施形態によれば、例えば、長距離の無線結合１９が不要となるように、携帯型電子装置１１のユーザが携帯型電子装置１１を操作しながら、携帯型電子装置１１からの情報を見るためにビデオスクリーン１７に表示することができる。従って、本発明の実施形態では、（Bluetoothプロトコルに従って提供されるような）短距離の無線結合を利用することができる。
【００１４】
ビデオ信号生成器１５の通信圏内及び、ビデオスクリーン１７を視認可能な範囲内であれば、携帯型電子装置１１のユーザは、携帯型電子装置１１からの（又は携帯型電子装置１１への）情報をビデオスクリーン１７を利用して見ながら、携帯型電子装置１１を操作することができる。少なくとも、ビデオスクリーン１７の通信圏外の場合、及び、プライバシーが求められる場合のいずれかに該当する際は、ユーザは携帯型電子装置の小型のローカルディスプレイ１２で情報を見ながら、携帯型電子装置を操作することができる。ビデオスクリーン１７は、例えば、携帯型電子装置で受信した電子メールを見る場合、携帯型電子装置で実行されているゲームの画面を見る場合、携帯型電子装置にダウンロードされたインターネットページを見る場合、携帯型電子装置内に格納された写真を見る場合、携帯型電子装置内に格納されたビデオクリップを見る場合等に、使用することができる。
【００１５】
ビデオ信号生成器１５が、無線結合１９を介して携帯型電子装置１１から情報を受信すると、ビデオ信号生成器１５は、携帯型電子装置からの情報に対応するビデオ信号を生成し、ビデオ信号をビデオスクリーン上に表示して閲覧可能となる形式でビデオスクリーンに提供する。言い換えれば、ビデオ信号生成器１５は、携帯型電子装置１１から受信した情報を、ビデオスクリーン１７で情報を表示するのに適したビデオ信号に変換する変換器１６を含むことができる。無線結合１９を介して携帯型電子装置から受信した情報に加えて、ビデオ信号は、少なくとも水平ライン同期パルス、カラー基準バースト、基準黒レベル、ピクチャ明度レベル(picture luminance level)、彩度情報(color saturation information)、色相情報(color hue information)、及び、垂直同期パルスのうちの１つ以上を含むことができる。更に、ビデオ信号は、従来のカラーテレビと互換性を有するＮＴＳＣ（National Television System Committee）方式のカラーテレビビデオ信号の全ての要素を含むことができる。もし、携帯型電子装置からの情報が、電子メール、写真、或いは、インターネットページのような静止画像の場合は、コンポジットビデオ信号が、テレビ標準に適用可能なフレームレートにおいて生成され、反復されることで、静止画像を従来のテレビ画面に表示することができる。上記ではＮＴＳＣ標準について述べたが、コンポジットビデオ、Ｓビデオ、ＤＶＤ(デジタル多用途ディスク)、ＰＡＬ（Phase Alternation by Line）、ＳＥＣＡＭ(Sequential Color with Memory)及びＨＤＴＶ(High Definition Television)のような他のビデオ標準も、ビデオ信号生成器により利用可能である。
【００１６】
ビデオ信号生成器１５はまた、携帯型電子装置１１が、ビデオ信号生成器１５の通信圏内に属するか否かを決定するためのビーコンを生成することができる。もし通信圏内にある場合は、携帯型電子装置は、リモートビデオスクリーン１７で表示を行うために無線結合１９を介して自動的に情報を送信することができる。また、携帯型電子装置１１は、リモートのビデオスクリーン１７に不用意に情報が送信されないように、無線結合１９を介してビデオ情報を送信する前にユーザ入力を要求しても良い。これらの２つの特徴の組合せによれば、携帯型電子装置は、携帯型電子装置がビデオ信号生成器の通信圏内にあると判明した場合に、ユーザにビデオスクリーンの使用を促しても良い。そして、使用を促されたユーザは、希望する場合には、無線結合を介した送信を選択することができる。
【００１７】
更に、リモートビデオスクリーン１７に情報を表示すると共に、携帯型電子装置１１のローカルディスプレイ１２にも情報を表示することができる。また、ビデオスクリーン１７での表示が行われている場合には、情報を携帯型電子装置１１のローカルディスプレイ１２からブロックすることもできる。更に、携帯型電子装置１１は、ユーザの選択に応じて、いずれかの動作モードでの動作を可能としても良い。
【００１８】
本発明の幾つかの実施形態によれば、ユーザは、ゲーム画面をリモートのビデオスクリーンで見ながら電子ゲームを携帯型電子装置上で楽しむことができる。また、ユーザは、少なくとも携帯型電子装置に格納されたか、及び、携帯型電子装置で受信されたかのいずれかの写真、ビデオクリップ、電子メールなどを、リモートのビデオスクリーンで見ることができる。更に、ユーザが、携帯型電子装置からの情報をビデオスクリーンにおいて見る場合には、携帯型電子装置との有線接続は不要である。従って、携帯型電子装置１１は、ディスプレイ１７を利用しつつ、ポータブルなままでいることができる。
【００１９】
本発明の更なる実施形態によれば、少なくともビデオスクリーン１７及びビデオ信号生成器１５のいずれかは、ビデオスクリーンに表示されるビデオを自動で選択することができる。例えば、無線結合１９を介して携帯型電子装置からの情報を受信すると、変換器１６からのビデオ信号を、ビデオスクリーン１７に表示するための自動的に選択することができる。自動選択が行われる場合、携帯型電子装置からのビデオ情報を受信しない場合には、別のビデオ信号１４（例えば、ケーブルテレビからの入力など）が、自動的にビデオスクリーン１７に与えられる。また、ユーザ選択は、変換器１６からのビデオ入力と別のビデオ信号１４との間で切り替えを行うために要求されてもよい。この切り替えは、変換器１６からのビデオ信号と、別のビデオ信号１４とのいずれかが、ビデオ信号生成器１５からビデオスクリーン１７へ出力されるように、ビデオ信号生成器１５内で行われても良い。また、ビデオスクリーンが変換器からのビデオ信号と別のビデオ信号とを切り替えられるように、別のビデオ入力がビデオスクリーンに直接に与えられ、ビデオスクリーンにおいて切り替えが行われても良い。また、変換器１６は、携帯型電子装置からのビデオを、別のビデオ信号１４内のビューボックスとして、或いはその逆として追加しても良い。
【００２０】
本発明の追加の実施形態に対応する携帯型電子装置は、図２に更に示される。図２に示されるように、本発明の実施形態に対応する携帯型電子装置２０は、ディスプレイ２１、プロセッサ２３、ユーザインタフェース２５及び送受信器２７を含むことができる。ディスプレイ２１は、視覚的出力を提供し、ユーザインタフェース２５は少なくともユーザ入力及びユーザ出力の何れかを提供することができる。送受信器２７は、図１と関連して上述したビデオ信号生成器へ無線結合を提供するように構成されている。プロセッサ２３は、例えば、少なくともユーザインタフェース２５を介したユーザ入力、及び、送受信器２７を介した情報の受信のいずれかに応じて、１以上の他のブロック２１、２５、２７の動作を制御するように構成されている。携帯型電子装置は、例えば、少なくともＰＤＡ、及び、携帯電話システムにおいて利用される移動体端末のような無線電話のいずれかであってもよい。
【００２１】
携帯型電子装置が無線電話機の場合、ユーザインタフェース２５は少なくともキーパッド、スピーカ及びマイクのいずれかを含んでいてもよい。更に、ディスプレイ２１は、ユーザインタフェース２５の一部とみなされてもよく、キーパッドはディスプレイ２１上のタッチパネルにおいて実現されても良い。ディスプレイ２１は、比較的小型のスクリーンであり、ダイヤルされる電話番号、発呼者の電話番号（発呼者の識別情報）、電子アドレス帳の情報、ゲーム画面、写真、カレンダー情報、電子メールなどを表示するために利用される。携帯型電子装置２０が無線電話機の機能を有しないＰＤＡの場合は、ディスプレイを、無線電話機の動作には直接の関連を有しない対応する情報を表示するために使用することもできる。更に、携帯型電子装置は、少なくとも、無線電話機及びＰＤＡの両方の機能及び異なる機能のいずれかを含むように実現することができる。
【００２２】
図１と関連して以上で述べたように、携帯型電子装置２０のユーザは、ローカルディスプレイ２１のみを利用して従来のように携帯型電子装置を操作することができる。しかしながら、ディスプレイ２１は比較的小型であるために、ユーザはより大型のビデオスクリーンで情報を見ることを希望するかも知れない。そこで、送受信器２７を、より大型のビデオスクリーンと結合されたビデオ信号生成器に、無線結合１９を介して情報を送信するために利用することができる。更に、送受信器２７はまた、ビデオ信号生成器からのビーコンの受信をサポートして、プロセッサ２３がビデオ信号生成器が携帯型電子装置の通信圏内に存在するか否かを判別可能とすることもできる。
【００２３】
無線通信をサポートしない携帯型電子装置において実現される場合、上記のビデオ信号生成器との短距離の無線結合を提供するために、送受信器２７が設けられても良い。例えば、送受信器２７は、Bluetoothプロトコルに従った短距離の無線結合を提供するために設けられても良い。更に、送受信器は、ビデオ信号生成器に加えて、装置との短距離の無線結合をサポートしても良い。他の無線通信をサポートする携帯通信装置として実現される場合、送受信器は、無線電話通信、電子メール通信、テキストメッセージ通信、ページングなどの他の通信をサポートしても良い。また、１以上の追加の送受信器が、他の無線通信をサポートするために提供されても良い。
【００２４】
従って、携帯型電子装置２０のユーザは、携帯型電子装置からの情報をリモートビデオスクリーンにおいて見ながら、携帯型電子装置を操作することができる。言い換えれば、携帯型電子装置とビデオスクリーンとの間の有線接続を必要とせずに、携帯型電子装置からの情報をビデオスクリーン上で見ることができる。更に、携帯型電子装置からの無線結合は、Bluetoothのような短距離の無線通信プロトコルにより提供することができる。よって、携帯型電子装置のユーザは、大型のリモートビデオスクリーンの利用可能性、プライバシーの問題、ユーザの好み等に応じて、小型のオンボードディスプレイ２１と、大型のリモートビデオスクリーンとを簡単に切り替えることが可能であっても良い。
【００２５】
図３に示すように、本発明の実施形態に対応するビデオ信号生成器３０は、送受信器３１、変換器３３、ビデオ出力部３５を含んでいても良い。送受信器３１は、無線結合を介して携帯型電子装置から情報を受信するように構成される。変換器３３は、携帯型電子装置から受信した情報に対応するビデオ信号を生成するように構成される。ビデオ出力部３５は、ビデオスクリーンにビデオ信号を提供するように構成される。ビデオ出力部３５には、例えば、ケーブル出力、或いは、ビデオスクリーンと結合するための他の出力が含まれる。
【００２６】
上述のように、送受信器３１は、Bluetoothプロトコルに従う無線結合のような短距離の無線結合をサポートすることができる。上述の情報の流れは、まず、携帯型電子装置からビデオ信号生成器へ向かうものであるが、送受信器３１で情報送信を行っても良い。例えば、送受信器３１は、互換性のある携帯型電子装置に、ビデオ信号生成器３０の通信圏内に存在するか否かを判別可能とするビーコンを提供しても良い。更に、送受信器３１は、少なくとも、携帯型電子装置からの情報の受信の確認応答、及び、送信失敗の指示のいずれかを送信しても良い。
【００２７】
変換器３３は、携帯型電子装置から受信した情報に対応するビデオ信号を生成する。上述のように、ビデオ信号は、ＮＴＳＣ標準、コンポーネントビデオ標準、Ｓビデオ標準、ＤＶＤ標準、ＰＡＬ標準、ＳＥＣＡＭ標準及びＨＤＴＶ標準のような、従来的なビデオ標準に従って生成可能である。従って、ビデオ信号は、水平線同期パルス、カラー基準バースト、基準黒レベル、ピクチャ明度レベル、彩度情報、色相情報、及び、垂直同期パルスのうちの１つ以上を含むことができる。また、変換器３３は、所望のビデオスクリーンとの互換性を提供するために、ビデオ信号を他のビデオ標準に従って生成することができる。
【００２８】
ビデオ出力部３５は、プロセッサ３３からのビデオ出力信号３４をビデオスクリーンに提供する。ビデオ出力部は、例えば、テレビのケーブルビデオ入力との接続のための同軸ケーブルと結合することができる。但し、他の有線結合、或いは、無線結合を、ビデオ出力部とビデオスクリーンとの間に利用することもできる。
【００２９】
ビデオ出力部３５はまた、ビデオスクリーンに供給されるビデオの選択のために利用することができる。例えば、ビデオ出力部３５は、携帯型電子装置から受信した情報に基づくビデオ信号３４と、ケーブルテレビ信号、衛星放送のテレビ信号、或いは、ローカル放送のテレビ信号のような、別のビデオ入力３６との間で選択を行うことができる。この選択は、送受信器３１を介して携帯型電子装置から受信した指示、或いは、ビデオ信号生成器３０のボタン、スイッチ或いは、他のユーザ入力手段を介したユーザ入力に基づいて実行される。該選択はまた、携帯型電子装置からの情報に基づくビデオ信号が利用可能となった場合に、ビデオ出力部３５がいつでも該ビデオ信号を選択するように、自動で行うこともできる。また、これらの２つのソース３４及び３６からの信号は、いろいろな方法で融合することができる。例えば、ビデオ３４は、ビデオソース３６内のボックスであっても良い。
【００３０】
更に、ビデオ信号生成器３０は、それが結合されるビデオスクリーンから独立したセットトップボックス内のユニットとして実現されても良い。また、ビデオ信号生成器とビデオスクリーンとは、単一装置内に統合されても良い。ビデオ信号生成器３０は、例えば、セットトップボックス内で、それ自体のみで、或いは、少なくともケーブルテレビ信号、衛星放送のテレビ信号、及び、ローカル放送のテレビ信号のいずれか１以上のための受信器と組合せて実現されても良い。また、ビデオ信号生成器３０は、テレビ或いはコンピュータシステム内に統合されても良い。更に、ビデオ信号生成器３０は、本発明の実施形態に対応するビデオスクリーンでの表示のために、携帯型電子装置以外の電子装置から無線情報を受信しても良い。例えば、ビデオ信号生成器は、ＶＣＲ（ビデオカセットレコーダ）、ＤＶＤ（デジタル多用途ディスク）プレーヤ、ケーブルテレビボックス、或いは、他の情報源から、無線結合を介して情報を受信しても良い。
【００３１】
本発明の実施形態に対応する無線電話機が、図４に示される。図に示されるように、本発明の実施形態に対応する無線電話機４０は、短距離送受信器４１、無線電話送受信器４３、ディスプレイ４５、プロセッサ４７、ユーザ入力部４９、スピーカ５１、及び、マイク５３を含むことができる。ディスプレイ４５は、視覚的出力を提供する。ユーザ入力部４９は、少なくともキーパッド、触感部を有するディスプレイ、及び、ダイヤル或いは他の入力手段のいずれかを含むことができる。短距離送受信器４１は、例えば、図１及び図３と関連する上記のビデオ信号生成器１５、３０に対し、無線結合を提供することができる。無線電話送受信器４３は、音声通信、ファクシミリ通信、電子メール、テキストメッセージング等を容易とするために、無線電話通信システムに無線結合を提供することができる。スピーカ５１及びマイク５３は、音声通信を提供することができる。短距離送受信器４１は、上記のビデオ信号生成器との間で、短距離無線結合を提供することができる。プロセッサ４７は、少なくともユーザ入力、及び、少なくとも送受信器４１及び送受信器４３のいずれかを介して受信したあらゆる情報のいずれかに応じて、他のブロックの動作を制御する。
【００３２】
無線電話機４０のユーザインタフェースは、ユーザ入力部４９、スピーカ５１、マイク５３及びディスプレイ４５を含むように定義されても良い。ディスプレイ４５は、比較的小型のスクリーンであり、ダイヤルされる電話番号、発呼者の電話番号（発呼者の識別情報）、電子アドレス帳の情報、ゲーム画面、写真、カレンダー情報、電子メールなどを表示するために利用される。図１と関連して上述したように、無線電話機４０のユーザは、ローカルディスプレイ４５のみを利用して無線電話機を従来通りに操作することができる。しかしながら、ディスプレイ４５は比較的小型であるので、ユーザは大型のビデオスクリーンで情報を見ることを希望するかも知れない。そこで、無線結合を介して情報を大型のビデオスクリーンと結合されるビデオ信号生成器に送信するために、短距離送受信器４１を利用することができる。更に、短距離送受信器４１はまた、ビデオ信号生成器が携帯型電子装置の通信圏内に存在するか否かをプロセッサ４７で判別可能とするために、ビデオ信号生成器からのビーコンの受信をサポートしても良い。
【００３３】
短距離送受信器４１は、上述のビデオ信号生成器等との短距離無線結合を提供するために設けられても良い。例えば、短距離送受信器４１は、Bluetoothプロトコルに従った短距離無線結合を提供するために設けられても良い。更に、短距離送受信器４１は、ディスプレイやビデオスクリーンに表示されるべき情報以外の情報の送受信のために動作しても良いし、或いは、ビデオ信号生成器以外の装置と共に動作してもよい。短距離送受信器４１がBluetooth送受信器として実現される場合、例えば、外部イヤホン、外部マイク、コンピュータ、外部キーボード等との無線結合を提供するために利用されても良い。短距離送受信器及び無線電話送受信器は独立したブロックとして示されているが、これらを一体型の送受信器として実現しても良い。また、異なる通信をサポートするために独立した送受信器が提供されても良い。
【００３４】
よって、無線電話機４０のユーザは、リモートビデオスクリーンで無線電話機からの情報を見ながら、無線電話機を操作することができる。言い換えれば、携帯型電子装置とビデオスクリーンとの間の物理的な結合を必要とせずに、無線電話機からの情報をビデオスクリーン上で見ることができる。更に、無線電話機からの無線結合は、Bluetoothのような短距離の無線通信プロトコルにより提供することができる。よって、無線電話機のユーザは、大型のリモートビデオスクリーンの利用可能性、プライバシーの問題、ユーザの好み等に応じて、小型のローカルディスプレイ４５と、大型のリモートビデオスクリーンとを簡単に切り替えることができる。
【００３５】
図面及び明細書には本発明の典型的で好適な実施形態が開示されており、その中では特定の用語が利用されているが、それらは一般的かつ記述的な意味で使用されているだけであって、限定を目的として使用されている訳ではない。そして、本発明の範囲は、特許請求の範囲に記載の請求項により示されるものである。
【図面の簡単な説明】
【００３６】
【図１】本発明の実施形態に対応する、情報の遠隔表示のためのシステム、方法及び装置を示すブロック図である。
【図２】本発明の実施形態に対応する、携帯型電子装置及び方法を示すブロック図である。
【図３】本発明の実施形態に対応する、ビデオ信号生成器及び方法を示すブロック図である。
【図４】本発明の実施形態に対応する、無線電話機及び方法を示すブロック図である。
【図１】
2006523411.tif 000003
【図２】
2006523411.tif 000004
【図３】
2006523411.tif 000005
【図４】
2006523411.tif 000006
【国際調査報告】
2006523411.tif 000007
2006523411.tif 000008
2006523411.tif 000009